(57)【特許請求の範囲】
【請求項１】
扉外板に対して発泡断熱材の収容部を介して設けられた扉内板を有する冷蔵庫の引出し扉であって、上記扉内板は、庫内側に出し入れされる食品収納容器保持用の支持枠を固定ねじによって締結し得るねじ受部を、冷蔵庫前方側の上記扉外板方向に凸形状となるように射出成形により一体成形したものであって、上記扉内板の裏面には、上記発泡断熱材を回り込ませることにより上記扉内板と上記発泡断熱材との固着強度を高めるアンダーカット形状の補強部が一体成形されてなるものであり、上記補強部は、上記扉内板の裏面に対して断面がＥ字形状またはコ字形状に突設された板状の突設体からなることを特徴とする冷蔵庫の引出し扉。
【請求項２】
扉外板に対して発泡断熱材の収容部を介して設けられた扉内板を有する冷蔵庫の引出し扉であって、上記扉内板は、庫内側に出し入れされる食品収納容器保持用の支持枠を固定ねじによって締結し得るねじ受部を、冷蔵庫前方側の上記扉外板方向に凸形状となるように射出成形により一体成形したものであって、上記扉内板の裏面には、上記発泡断熱材を回り込ませることにより上記扉内板と上記発泡断熱材との固着強度を高めるアンダーカット形状の補強部が一体成形されてなるものであり、上記補強部は、上記ねじ受部の突出端部からねじの軸方向に交差する方向に突出された突起からなり、上記ねじ受部と一体に形成されていることを特徴とする冷蔵庫の引出し扉。
【請求項３】
上記ねじ受部の外周部には、上記扉内板の裏面から連なる補強用のリブが突設されていることを特徴とする請求項１または請求項２記載の冷蔵庫の引出し扉。
【請求項４】
上記ねじ受部の中心部には庫内側から形成されたねじ穴または穴が設けられていることを特徴とする請求項１または請求項２記載の冷蔵庫の引出し扉。
【発明の詳細な説明】
【技術分野】
【０００１】
この発明は、冷蔵庫の引出し扉に関するものである。
【背景技術】
【０００２】
家庭用冷蔵庫の扉は、上部の冷蔵室は回転式で、下部の野菜室や冷凍室等の扉は引出し式が一般的である。引出し扉は、扉外周縁部品で上辺及び下辺を仮固定された扉外板と、支持枠取付け用の補強板が予めねじで固定されている扉内板で構成される箱体空間部に発泡断熱材を注入、充填して各部品が固着されたものである。引出し扉の裏面となる扉内板には、食品収納容器を収納載置する全体がコ字状の支持枠が取付けられる。この支持枠に食品が収納された食品収納容器の重量を支える場合、扉内板に支持枠が固定されているだけでは強度が不十分であり、扉内板の強度を補う手段として、扉内板の断熱材側に補強板を使用するのが一般的であった。なお、支持枠は扉内板を介して、複数のねじによって補強板のねじ穴に締付け固定される。
従来の技術として、補強部を設けて強度を高めた補強板を左右対称な形状として、１枚の扉に使用する左右２枚の補強板を共通化し、また、取付け時の方向性もなくすことで、部品点数の削減、組立作業の簡略化を図るようにしたものがある（例えば特許文献１参照）。また、金属あるいは硬質プラスチック製の補強板、取付けブラケット、取付けピースのいずれかを予めブロー成形による扉成形体へインサート物として埋設して一体成形することで、組立時の部品点数の削減及び組立作業の簡略化を図るようにしたものがある（例えば特許文献２参照）。また、発泡断熱材の注入、充填時に扉内板を変形させることで支持枠を固定し、部品点数の削減及び組立作業の簡略化を図るようにしたものがある（例えば特許文献３参照）。
【先行技術文献】
【特許文献】
【０００３】
【特許文献１】特開２００５−２７３９２２号公報（第４〜５頁、図４〜６）
【特許文献２】特許第３５６５３９８号公報（第３頁、図２〜４）
【特許文献３】特開昭６０−５３７６９号公報（第２頁、図２〜４）
【発明の概要】
【発明が解決しようとする課題】
【０００４】
従来の冷蔵庫の引出し扉は、上記のように構成されているので、補強板の材料費、補強板の金型費、内板に補強板を仮固定するという工程が必要になるという課題があった。また、補強板をインサート物としてブロー成形で一体成形する場合においても、補強板の金型費、ブロー成形にてインサート物を埋設するためのアンダーカット形状及びインサート物が埋設される範囲において成形体の厚み分により断熱材注入空間への突出部分が増え、断熱材の流動を妨げるので密度が不均一となり、強度に関わる材料物性が安定化しない、断熱材の容積を大きくとれないという課題があった。また、発泡断熱材の注入、充填時に扉内板を変形させて支持枠を固定する場合においては、支持枠の固着強度が低い、断熱材発泡時に扉を保持する治具が大型になるという課題があった。
【０００５】
本発明は、上記のような従来技術の課題を解消するためになされたものであり、支持枠の取付けに補強板が不要で、発泡断熱材の充填時の問題も招来せず、支持枠の固着強度も確保された冷蔵庫の引出し扉を提供することを目的としている。
【課題を解決するための手段】
【０００６】
本発明に係る冷蔵庫の引出し扉は、扉外板に対して発泡断熱材の収容部を介して設けられた扉内板を有する冷蔵庫の引出し扉であって、上記扉内板は、庫内側に出し入れされる食品収納容器保持用の支持枠を固定ねじによって締結し得るねじ受部を、冷蔵庫前方側の上記扉外板方向に凸形状となるように射出成形により一体成形したものであって、上記扉内板の裏面には、上記発泡断熱材を回り込ませることにより上記扉内板と上記発泡断熱材との固着強度を高めるアンダーカット形状の補強部が一体成形されてなるものであり、上記補強部は、上記扉内板の裏面に対して断面がＥ字形状またはコ字形状に突設された板状の突設体からなることを特徴とするものである。
また、本発明に係る冷蔵庫の引出し扉は、扉外板に対して発泡断熱材の収容部を介して設けられた扉内板を有する冷蔵庫の引出し扉であって、上記扉内板は、庫内側に出し入れされる食品収納容器保持用の支持枠を固定ねじによって締結し得るねじ受部を、冷蔵庫前方側の上記扉外板方向に凸形状となるように射出成形により一体成形したしたものであって、上記扉内板の裏面には、上記発泡断熱材を回り込ませることにより上記扉内板と上記発泡断熱材との固着強度を高めるアンダーカット形状の補強部が一体成形されてなるものであり、上記補強部は、上記ねじ受部の突出端部からねじの軸方向に交差する方向に突出された突起からなり、上記ねじ受部と一体に形成されていることを特徴とするものである。
【発明の効果】
【０００７】
この発明に係る冷蔵庫の引出し扉は、支持枠を扉内板に直接締結し得るようにねじ受部が扉内板と一体に成形されているため、支持枠取付け用の補強板が不要で組立作業を簡略化することができる。また、発泡断熱材を充填する収容部への突出量を抑制できるので発泡断熱材が均一に充填され、ねじ受部も均一に発泡断熱材中に埋設され扉内板と一体化されるので支持枠の固着強度も確保される。そして、扉内板の裏面には、Ｅ字形状またはコ字形状の板状突設体、または、食品容器保持用支持枠の固定ねじに対するねじ受部と一体に形成されねじ受部の突出端部からねじの軸方向に交差する方向に突出された板状の突起からなる、アンダーカット形状の補強部が一体成形されているので、扉内板と発泡断熱材との固着強度を高め、扉組立体の剛性が確保される。
【図面の簡単な説明】
【０００８】
【図１】本発明の実施の形態１に係る引出し扉をもつ冷蔵庫を概念的に示す正面図。
【図２】図１に示された引出し扉の１つを引出した状態を概念的に示す側面図。
【図３】図２に示された引出し扉の背面斜視図。
【図４】図２に示された引出し扉を構成する扉内板の前面斜視図。
【図５】図３に示されたＶ−Ｖ線における矢視断面図。
【図６】本発明の実施の形態２に係る冷蔵庫の引出し扉の要部断面図。
【図７】本発明の実施の形態３に係る冷蔵庫の引出し扉の扉内板の前面斜視図。
【発明を実施するための形態】
【０００９】
実施の形態１．
以下、この発明の実施の形態１に係る冷蔵庫の引出し扉について図１〜５を参照して説明する。なお、各図を通じて同一または相当部材（部分）には同一の符号を付すものとする。図１に示すように、冷蔵庫は、冷蔵庫本体１と、この冷蔵庫本体１が区画壁により区画された上部から順に冷蔵室、製氷室及び切替え室、冷凍室、並びに野菜室からなる各貯蔵室を備えている。冷蔵室には回転式の冷蔵室扉２が観音扉式に設けられている。製氷室、切替え室、冷凍室、及び野菜室は何れも引出し式扉３である製氷室扉３Ａ、切替え室扉３Ｂ、冷凍室扉３Ｃ、及び野菜室扉３Ｄがそれぞれの貯蔵室の前面開口部を覆うように設けられている。
【００１０】
次に、引出し扉３の構成を切替え室扉３Ｂの場合について説明する。冷蔵庫本体１の前面開口部から庫内に出し入れ可能に設けられる引出し扉３は、図２、図３に示すように扉外周縁部品３１、扉外板３２、発泡断熱材（図示省略）を隠蔽する扉内板３３からなる扉組立体３０と、扉内板３３の庫内側にねじ４によって固定され庫内方向に突出された金属製の一対の支持枠５と、扉内板３３に取付けられたガスケット３４と、支持枠５に保持され扉体を開閉させることで庫内に出し入れされる上面が開放されたプラスチック製の食品収納容器６と、一対の支持枠５の庫内奥側端部を相互に連結する連結棒５１と、支持枠５に対して回動可能に支持され冷蔵庫本体の庫内側に設けられたレール７内を転動する可動ローラー５２などにより構成されている。
【００１１】
なお、支持枠５は庫内側に設けられた固定ローラー８にも係合され、引出し扉３は冷蔵庫の庫内に対して軽い力で滑らかに出し入れできるように取付けられている。支持枠５は扉内板３３に複数のねじ４で締付け固定され、食品収納容器６が扉組立体３０と一体に移動するように食品収納容器６を扉組立体３０に保持する役目を有している。引出し扉３の扉組立体３０は、扉外周縁部品３１で上辺及び下辺を仮固定した扉外板３２と、扉内板３３とで形成された箱体の空間部からなる収容部Ａ（図５に図示）に発泡断熱材を注入、充填することにより各部品を固着して製作される。
【００１２】
扉内板３３には、図４、図５に示すように支持枠５を、ねじ４によって締付固定し得る柱状のねじ受部３３１が、扉前方方向に凸形状となるように射出成形によって該扉内板３３と一体に成形されている。ねじ受部３３１の中心部には、ねじ穴３３１ａ（図４では図示省略）が設けられ、その外周部には扉内板３３の支持枠５取付け面の強度を確保するために複数のリブ３３２が扉内板３３の裏面から連なるように設けられている。リブ３３２は、ねじ受部３３１の外周部に等角度で４個設けたものを示したが、これに限らず取付け面の強度を確保できればどの方向に何個設けてもよい。
【００１３】
扉組立体３０は、支持枠５の前端部に設けた穴（図示せず）を介して、複数のねじ４によってねじ受部３３１のねじ穴３３１ａに締付けられる。このとき、扉内板３３と一体成形された樹脂製のねじ受部３３１は、従来の金属製の補強板よりもねじ切り作業が容易であり、支持枠締付け時の作業性を改善することができる。ねじ穴３３１ａはタッピングネジ用の単なる穴でも良い。また、扉内板３３の裏面には、図示されていない発泡断熱材との固着強度確保を目的として、図４、図５に示すように複数のアンダーカット形状の補強部３３３が射出成形により該扉内板３３と一体に設けられている。
【００１４】
補強部３３３は、扉内板３３の裏面に対して断面がＥ字形状（コ字形状やその他の形状でも良い）に突設された板状の突設体からなり、扉内板３３の裏面との間に形成された空間部３３３ａに発泡断熱材が回り込むことにより発泡断熱材の中に埋設され、扉内板３３と発泡断熱材との固着強度を高め、扉組立体３０の剛性が確保される。なお、補強部３３３は扉内板３３の左右に２箇所設けたものを示したが、これに限らず発泡断熱材により埋設可能で固着強度を確保できれば、個数、形状共に種々に変更可能である。また、図の例では補強部３３３を独立して設置した場合を示しているが、例えばねじ受部３３１と一体に設けることもできる。
【００１５】
上記のように構成された実施の形態１においては、ねじ受部３３１は扉内板３３と一体成形されているため、支持枠５の締付けが必要な部位のみに発泡断熱材を充填するスペースに対する影響の少ない最小限の形状で設けることが可能である。また、リブ３３２や補強部３３３も、必要な部位のみに最小限の形状で設けることが可能である。そのため、発泡断熱材が注入される扉外板３２と扉内板３３により形成される発泡断熱材の収容部Ａへの突出形状を最小限に抑えることができる。
【００１６】
一般的に、この収容部Ａへの突出形状は発泡断熱材の流動を妨げる要因となり、流動が妨げられた場合、発泡断熱材の密度が不均一になるため、強度に関わる材料物性が不安定となる。本発明では上記収容部Ａへの突出形状を最小限に抑えられることで、発泡断熱材の密度がより均一化するため、強度に関わる材料物性を安定化させることができる。また、収容部Ａへの突出形状が最小限に抑えられることにより、扉の外形寸法が同じでも断熱材の容積を大きくとることができ、高品質な断熱扉を提供することが可能となる。
【００１７】
上記のように、実施の形態１によれば、庫内側に出し入れされる食品収納容器保持用の支持枠５を、扉内板３３に一体に形成されたねじ受部３３３に直接締結し得るように形成されているため、支持枠取付け用補強板を必要とせず、補強板の材料費、補強板の金型費、部品点数を削減し、従来の扉内板に補強板を取付けるという作業を廃止できるため、扉の組立作業も簡略化して安価にすることができる。また、扉内板３３にアンダーカット形状の補強部３３３を射出成形により一体成形したので、発泡断熱材の流動を妨げる収容部Ａへの突出形状が最小限に抑えられることにより、発泡断熱材の密度が均一化され、強度に関わる材料物性を安定化させることができる。
【００１８】
また、該突出形状が最小限に抑えられることにより、外形寸法が同じ扉において断熱材の容積を大きくとることができる。また、小型化にも寄与し得る。また、補強板が不要となるので部品保管スペースの有効利用も可能となる。また、ねじ受部３３３の外周部には、扉内板３３の裏面から連なる補強用のリブ３３２が突設されているので、持枠取付け面の強度が確保され、支持枠５をねじ締結するときの強度が高められる。また、扉内板３３の裏面に一体成形されたアンダーカット形状の補強部３３３は、その空間部３３３ａに発泡断熱材が回り込むことにより扉内板３３と発泡断熱材との固着強度が高められる。また、製造も容易となり、歩留まり向上にも寄与し得る。
【００１９】
実施の形態２．
次に、この発明の実施の形態２に係る冷蔵庫の引出し扉について図６を参照して説明する。図６において、ねじ受部３３１の突出端部には、扉外板３２との間の収容部Ａに充填される発泡断熱材に埋設され、扉内板３３との固着強度を高めるためのアンダーカット形状を形成する補強部３３３が一体に設けられている。補強部３３３は、ねじ受部３３１の突出端部からねじ４の軸方向に交差する方向に突出された板状の突起からなる。その他の構成は実施の形態１と同様であるので説明を省略する。
【００２０】
上記のように構成された実施の形態２においては、実施の形態１と同様の効果が得られる他、ねじ受部３３１がアンダーカット形状の補強部３３３を兼ねる形状として扉内板３３と一体成形されていることで、発泡断熱材の収容部Ａへの突出部分がより抑えられ、発泡断熱材の強度に関わる材料物性をより安定化させ、断熱材の容積をより大きくとることができるという更なる効果が得られる。
【００２１】
実施の形態３．
次に、この発明の実施の形態３に係る冷蔵庫の引出し扉について図７を参照して説明する。図において、扉内板３３に対してねじ受部３３１と共に一体成形されたアンダーカット形状の補強部３３３は、扉内板の裏面に対して、射出成形時に弾性変形して抜くことが可能な緩い傾斜または緩く湾曲して突設された、板状の突設体からなっている。なお、図示の例では該板状の突設体の中央部に空間部３３３ａを兼ねる四角形の穴３３３ｂが設けられている。その他の要部構成は実施の形態１と同様であるので説明を省略する。
【００２２】
上記のように構成された実施の形態３においては、補強部３３３が射出成形時に金型を抜くことが可能なアンダーカット形状となっている。補強部３３３の傾斜または湾曲の角度や方向を扉内板３３との固着強度が高まるように選ぶことで、実施の形態１と同様の効果が得られる他、扉内板３３はスライド機能の無い金型で成形可能のため、金型費を削減することができるという更なる効果が得られる。
【００２３】
なお、引出し扉３の構成を切替え室扉３Ｂの場合について説明したが、他の引出し扉３も同様に構成できる。また、本発明は、その発明の範囲内において、各実施の形態を自由に組み合わせたり、各実施の形態を適宜、変形、省略することが可能である。
【符号の説明】
【００２４】
１  冷蔵庫本体、  ３  引出し扉、  ３Ａ  製氷室扉、  ３Ｂ  切替え室扉、  ３Ｃ  冷凍室扉、  ３Ｄ  野菜室扉、  ３０  扉組立体、  ３１  扉外周縁部品、  ３２  扉外板、  ３３  扉内板、  ３３１  ねじ受部、  ３３１ａ  ねじ穴、  ３３２  リブ、  ３３３  補強部、  ３３３ａ  空間部、  ３３３ｂ  穴、  ４  ねじ、  ５  支持枠、  ５１  連結棒、  ５２  可動ローラー、  ６  食品収納容器、  ７  レール、  ８  固定ローラー、  Ａ  収容部。
【図１】
0005679955.tif 000002
【図２】
0005679955.tif 000003
【図３】
0005679955.tif 000004
【図４】
0005679955.tif 000005
【図５】
0005679955.tif 000006
【図６】
0005679955.tif 000007
【図７】
0005679955.tif 000008